(57)【要約】      （修正有）【課題】交通事象に遭遇しそうな状況に対して、事前にできるだけ精度の高い情報を出力する制御装置等を提供する。【解決手段】交通の事象に遭遇した事象遭遇車両の複数について、当該事象に遭遇した所定時間前における当該事象遭遇車両の周囲状況を示す事象遭遇車両周囲情報に少なくとも基づく複数の事象遭遇前情報を取得し（Ｓ１０）、車両の周囲状況を示す自車両周囲情報に少なくとも基づいた現在の自車現在情報を取得し（Ｓ１１）、複数の事象遭遇前情報中に自車現在情報に対して予め設定された類似の基準を満たす情報が存在する場合に、車両の出力手段を動作させる（Ｓ１２からＳ１５）。【選択図】図１３
2018128710.tif 000002
【特許請求の範囲】
【請求項１】
車両の周囲状況を示す自車両周囲情報に少なくとも基づいた現在の自車現在情報を取得する第１取得手段と、
交通の事象に遭遇した事象遭遇車両の複数について、当該事象に遭遇した所定時間前における当該事象遭遇車両の周囲状況を示す事象遭遇車両周囲情報に少なくとも基づく複数の事象遭遇前情報を取得する第２取得手段と、
前記複数の事象遭遇前情報中に前記自車現在情報に対して予め設定された類似の基準を満たす情報が存在する際に、前記車両の出力手段を動作させる制御手段と、
を備えることを特徴とする制御装置。
【請求項２】
請求項１に記載の制御装置において、
前記第１取得手段は、前記自車現在情報として、前記自車両周囲情報及び前記車両の現在の走行状況を示す自車両状態情報に少なくとも基づく情報を取得し、
前記第２取得手段は、前記複数の事象遭遇前情報として、前記事象遭遇車両周囲情報、及び、前記交通の事象に遭遇した事象遭遇車両の、当該事象に遭遇した所定時間前における走行状況を示す事象遭遇車両状態情報に少なくとも基づく情報を取得することを特徴とする制御装置。
【請求項３】
請求項２に記載の制御装置において、
前記自車両状態情報は、前記車両の走行速度、進行方向、及び、前記車両の付近の交差点までの距離に関する自車両走行情報を含み、
前記事象遭遇車両状態情報は、前記事象遭遇車両の走行速度、進行方向、及び、前記事象遭遇車両の付近の交差点までの距離に関する事象遭遇車両走行情報を含み、
前記制御手段は、前記自車両走行情報と前記事象遭遇車両走行情報との照合結果に少なくとも基づいて前記自車現在情報との類似度を算出して、前記予め設定された類似の基準を満たす情報が存在する際に、前記車両の出力手段を動作させることを特徴とする制御装置。
【請求項４】
請求項１から請求項３のいずれか１項に記載の制御装置において、
前記自車両周囲情報は、前記車両が走行中の道路、及び、前記車両の付近の交差点に接続する他の道路に関する自車両周囲道路属性を含み、
前記事象遭遇車両周囲情報は、前記事象遭遇車両が走行していた道路、及び、前記事象遭遇車両の付近の交差点に接続する他の道路に関する事象遭遇車両周囲道路属性を含み、
前記制御手段は、前記自車両周囲道路属性と前記事象遭遇車両周囲道路属性との照合結果に少なくとも基づいて前記自車現在情報との類似度を算出して、前記予め設定された類似の基準を満たす情報が存在する際に、前記車両の出力手段を動作させることを特徴とする制御装置。
【請求項５】
請求項１から請求項４のいずれか１項に記載の制御装置において、
前記自車両周囲情報は、前記車両の付近の交差点に接近する対象物の属性、及び、当該対象物の当該交差点までの距離に関する自車両対象物情報を含み、
前記事象遭遇車両周囲情報は、前記事象遭遇車両の付近の交差点に接近する対象物の属性、及び、当該対象物の当該交差点までの距離に関する事象遭遇車両対象物情報を含み、
前記制御手段は、前記自車両対象物情報と前記事象遭遇車両対象物情報との照合結果に少なくとも基づいて前記自車現在情報との類似度を算出して、前記予め設定された類似の基準を満たす情報が存在する際に、前記車両の出力手段を動作させることを特徴とする制御装置。
【請求項６】
請求項１から請求項５のいずれか１項に記載の制御装置において、
前記第１取得手段は、前記自車現在情報として、前記車両のドライバの運転傾向に関する自車両運転傾向情報をさらに取得し、
前記第２取得手段は、前記事象遭遇前情報として、前記事象遭遇車両のドライバの運転傾向に関する事象遭遇車両運転傾向情報をさらに取得し、
前記制御手段は、前記自車両運転傾向情報と前記事象遭遇車両運転傾向情報との照合結果に少なくとも基づいて前記自車現在情報との類似度を算出して、前記予め設定された類似の基準を満たす情報が存在する際に、前記車両の出力手段を動作させることを特徴とする制御装置。
【請求項７】
請求項１から請求項６のいずれか１項に記載の制御装置において、
前記第２取得手段は、前記事象遭遇前情報に対応する事象の種別に関する事象種別情報をさらに取得し、
前記制御手段は、前記複数の事象遭遇前情報中に前記自車現在情報に対して予め設定された類似の基準を満たす情報が存在する際に、前記自車現在情報との類似度が最も高い事象遭遇前情報に対応する前記事象種別情報に基づく警告を、前記車両の報知手段より報知させることを特徴とする制御装置。
【請求項８】
請求項１から請求項６のいずれか１項に記載の制御装置において、
前記制御手段は、前記複数の事象遭遇前情報の一部の情報と、当該対応する前記自車現在情報の一部の情報が予め設定された類似の基準を満たす場合に、前記車両の出力手段を動作させることを特徴とする制御装置。
【請求項９】
車両の出力手段を動作させる制御装置が実行する制御方法であって、
第１取得手段が、前記車両の周囲状況を示す自車両周囲情報に少なくとも基づいた現在の自車現在情報を取得する第１取得ステップと、
第２取得手段が、交通の事象に遭遇した事象遭遇車両の複数について、当該事象に遭遇した所定時間前における当該事象遭遇車両の周囲状況を示す事象遭遇車両周囲情報に少なくとも基づく複数の事象遭遇前情報を取得する第２取得ステップと、
制御手段が、前記複数の事象遭遇前情報中に前記自車現在情報に対して予め設定された類似の基準を満たす情報が存在する際に、前記車両の出力手段を動作させる制御ステップと、
を含むことを特徴とする制御方法。
【請求項１０】
コンピュータを、請求項１から請求項８のいずれか１項に記載の制御装置として機能させることを特徴とする制御装置用プログラム。
【発明の詳細な説明】
【技術分野】
【０００１】
本願は、制御装置、制御方法、および、制御装置用プログラムの技術分野に属する。
【背景技術】
【０００２】
移動体の一例の車両の事故を事前にできるだけ回避するための技術が開発されている。例えば、下記特許文献１には、車両が事故多発地点に接近すると、事故多発地点に接近しつつあることを車載端末へ間欠的に送信し、車載端末は表示器に表示されている地図上に事故多発地点を表示すると共に、音声にて、これを報知する道路状況情報提供システムが開示されている。
【先行技術文献】
【特許文献】
【０００３】
【特許文献１】特開２００５−１６５３７８号公報
【発明の概要】
【発明が解決しようとする課題】
【０００４】
事故等の交通事象には人的要因、車両要因、および、環境要因などが関連するものであり、事故多発地点であっても必ずしも事故のリスクが高い状況とは言えないが、上記特許文献１に記載されている技術では、車両が事故多発地点に接近したときに報知するため、事故のリスクが低い場合でも報知を行ってしまうという問題があった。
【０００５】
そこで本願は、上記の各問題点に鑑みて為されたもので、その課題の一例は、交通事象に遭遇しそうな状況に対して、事前にできるだけ精度の高い情報を出力する制御装置等を提供することにある。
【課題を解決するための手段】
【０００６】
上記課題を解決するため、請求項１に記載の発明は、車両の周囲状況を示す自車両周囲情報に少なくとも基づいた現在の自車現在情報を取得する第１取得手段と、交通の事象に遭遇した事象遭遇車両の複数について、当該事象に遭遇した所定時間前における当該事象遭遇車両の周囲状況を示す事象遭遇車両周囲情報に少なくとも基づく複数の事象遭遇前情報を取得する第２取得手段と、前記複数の事象遭遇前情報中に前記自車現在情報に対して予め設定された類似の基準を満たす情報が存在する際に、前記車両の出力手段を動作させる制御手段と、を備えることを特徴とする。
【０００７】
また請求項９に記載の発明は、車両の出力手段を動作させる制御装置が実行する制御方法であって、第１取得手段が、前記車両の周囲状況を示す自車両周囲情報に少なくとも基づいた現在の自車現在情報を取得する第１取得ステップと、第２取得手段が、交通の事象に遭遇した事象遭遇車両の複数について、当該事象に遭遇した所定時間前における当該事象遭遇車両の周囲状況を示す事象遭遇車両周囲情報に少なくとも基づく複数の事象遭遇前情報を取得する第２取得ステップと、制御手段が、前記複数の事象遭遇前情報中に前記自車現在情報に対して予め設定された類似の基準を満たす情報が存在する際に、前記車両の出力手段を動作させる制御ステップと、を含むことを特徴とする。
【図面の簡単な説明】
【０００８】
【図１】実施形態に係る制御装置の概要構成の一例を示すブロック図である。
【図２】実施例に係る制御システムの概略構成の一例を示す模式図である。
【図３】図２の車載端末装置の概要構成の一例を示すブロック図である。
【図４】図２の情報処理サーバ装置の概要構成の一例を示すブロック図である。
【図５】図４の情報処理サーバ装置のデータベースの一例を示す模式図である。
【図６】交通の事象の一例を示す模式図である。
【図７】交通の事象の一例を示す模式図である。
【図８】交通の事象の一例を示す模式図である。
【図９】交通の事象の一例を示す模式図である。
【図１０】交通の事象の一例を示す模式図である。
【図１１】交通の事象の一例を示す模式図である。
【図１２】事象場面データの生成の動作の一例を示すシーケンス図である。
【図１３】実施例に係る制御システムの動作の一例を示すフローチャートである。
【図１４】ある周辺状況における自車両の一例を示す模式図である。
【図１５】ある周辺状況における自車両の一例を示す模式図である。
【発明を実施するための形態】
【０００９】
本願を実施するための形態について、図１を用いて説明する。なお図１は、実施形態に係る制御装置の概要構成の一例を示すブロック図である。
【００１０】
図１に示すように、制御装置１は、第１取得手段１ａと、第２取得手段１ｂと、制御手段１ｃと、を備えて構成されている。ここで、制御装置１の一例として、移動体に搭載されたナビゲーション装置等の車載端末装置、車載端末装置に情報を出力するサーバ装置等が挙げられる。移動体の一例として、例えば、自動車、モータバイク、自転車、人、鉄道、船舶、航空機等が挙げられる。
【００１１】
この構成において第１取得手段１ａは、車両の周囲状況を示す自車両周囲情報に少なくとも基づいた現在の自車現在情報を取得する。
【００１２】
ここで、自車両周囲情報の一例として、警告等の出力の対象になっている自車両が走行している走行道路に関する道路属性、自車両の現在位置付近の交差点の接続道路に関する道路属性、自車両の現在位置の天気情報（例えば、気温、風速、風向、降水・降雪量等）、時刻等が挙げられる。また、道路属性の一例として、道路の種別、制限速度、車線数、勾配、付近の交差点への進入規制、付近の交差点への接続方向等が挙げられる。なお、交差点には、２本以上の道路が交差する点で、本線の道路に支線の道路が合流する合流点が含まれる。
【００１３】
また、道路の種別の一例として、高速道、一般国道、都道府県道、市町村道、農道、林道、その他の道路等が挙げられる。
【００１４】
自車両周囲情報に少なくとも基づいた自車現在情報として、出力の対象になっている自車両の現在における自車両周囲情報が挙げられる。
【００１５】
制御装置１は、例えば、自車両が搭載したセンサ、カメラ、マイク等の各種機器からの自車両周囲情報を、各種機器から取得したり、車載端末装置から取得したりする。
【００１６】
この構成において第２取得手段１ｂは、交通の事象に遭遇した事象遭遇車両の複数について、当該事象に遭遇した所定時間前における当該事象遭遇車両の周囲状況を示す事象遭遇車両周囲情報に少なくとも基づく複数の事象遭遇前情報を取得する。
【００１７】
ここで、交通の事象の一例として、対象物との事故、対象物への接触、対象物への異常接近による急ブレーキ、回避等が挙げられる。対象物として、他の移動体、建物、構造物等が挙げられる。また、交通の事象に遭遇した事象遭遇車両の一例として、対象物と事故を起こした車両、対象物と接触した車両、対象物への異常接近した車両等が挙げられる。また、事象に遭遇した所定時間前の一例として、３秒前、５秒前、７秒前、１０秒、１５秒前等が挙げられ、事象との因果関係が強い時間ならばよい。
【００１８】
また、事象遭遇車両周囲情報の一例として、事象に遭遇した事象遭遇車両が走行していた走行道路に関する道路属性、自車両の現在位置付近の交差点の接続道路に関する道路属性、自車両の現在位置の天気情報、時刻等が挙げられる。
【００１９】
また、事象遭遇車両周囲情報に少なくとも基づいた事象遭遇前情報の一例として、事象遭遇車両に対して、事象に遭遇した所定時間前の事象遭遇周囲情報が挙げられる。
【００２０】
制御装置１は、例えば、事象遭遇車両が搭載したセンサ、カメラ、マイク等の各種機器からの事象遭遇車両周囲情報を、各種機器から取得したり、車載端末装置から取得したりする。
【００２１】
この構成において制御手段１ｃは、複数の事象遭遇前情報中に自車現在情報に対して予め設定された類似の基準を満たす情報が存在する際に、前記車両の出力手段を動作させる。
【００２２】
ここで、類似の基準の一例として、自車現在情報と事象遭遇前情報との類似が判定できればよく、例えば、算出された類似度が所定値以上であるか否かを判定できればよい。各事象遭遇前情報と自車現在情報との各類似が判定される。複数の事象遭遇前情報のうち、予め設定された類似の基準を満たす情報が、抽出される。
【００２３】
また、自車現在情報と事象遭遇前情報との照合結果に基づいて自車現在情報との類似度を算出して、予め設定された類似の基準を満たすか否かを判定してもよい。ここで、自車現在情報と事象遭遇前情報との照合結果の一例として、自車現在情報および事象遭遇前情報において、情報の同じ項目同士を照合し、一致するか否か、情報の項目の値が同じ範囲内の値に属するか否か等である。また、自車現在情報との類似度は、例えば、照合により一致した項目の数、属した項目の数から計算される。類似度は、例えば、一致した項目の割合、属した項目の割合等である。また、類似度は、各項目に重みを割り当て、計算されてもよい。類似度は、特定の項目のみで照合を行って計算されてもよい。
【００２４】
車両の出力手段の一例として、警告等のメッセージを表示するディスプレイ、警告等のメッセージの音声を出力するスピーカ、車両を所定速度に減速させる制御信号およびブレーキをかける準備をさせる制御信号等を出力する駆動制御装置等が挙げられる。
【００２５】
また、第１取得手段１ａは、自車現在情報として、自車両周囲情報及び車両の現在の走行状況を示す自車両状態情報に少なくとも基づく情報を取得してもよい。
【００２６】
ここで、自車両状態情報の一例として、自車両の車種の情報、自車両の走行速度の情報、自車両の加速度の情報、自車両の進行方向の情報、自車両のヘッドライトの状態の情報、自車両の方向指示器の情報、ワイパーの状態、クラクションの状態、自車両の付近の交差点までの距離の情報等が挙げられる。
【００２７】
また、第２取得手段１ｂは、複数の事象遭遇前情報として、事象遭遇車両周囲情報、及び、交通の事象に遭遇した事象遭遇車両の、当該事象に遭遇した所定時間前における走行状況を示す事象遭遇車両状態情報に少なくとも基づく情報を取得してもよい。
【００２８】
ここで、事象遭遇車両状態情報の一例として、事象遭遇の車種の情報、事象遭遇の走行速度の情報、事象遭遇の加速度の情報、事象遭遇の進行方向の情報、事象遭遇のヘッドライトの状態の情報、事象遭遇の方向指示器の情報、ワイパーの状態、クラクションの状態、事象遭遇の付近の交差点までの距離の情報、交通規制の違反の種別の情報等が挙げられる。
【００２９】
また、自車両状態情報は、車両の走行速度、進行方向、及び、車両の付近の交差点までの距離に関する自車両走行情報を含んでもよい。
【００３０】
ここで、自車両走行情報の一例として、自車両が走行している時の車両の情報であり、例えば、自車両の走行速度の情報、自車両の加速度の情報、自車両の進行方向の情報、自車両のヘッドライトの状態の情報、自車両の方向指示器の情報、自車両の付近の交差点までの距離の情報等が挙げられる。
【００３１】
事象遭遇車両状態情報は、事象遭遇車両の走行速度、進行方向、及び、前記事象遭遇車両の付近の交差点までの距離に関する事象遭遇車両走行情報を含んでもよい。
【００３２】
ここで、事象遭遇車両走行情報の一例として、事象遭遇車両が走行している時の車両の情報であり、例えば、事象遭遇車両の走行速度の情報、事象遭遇車両の加速度の情報、事象遭遇車両の進行方向の情報、事象遭遇車両のヘッドライトの状態の情報、事象遭遇車両の方向指示器の情報、事象遭遇車両の付近の交差点までの距離の情報等が挙げられる。
【００３３】
また、制御手段１ｃは、自車両走行情報と事象遭遇車両走行情報との照合結果に少なくとも基づいて自車現在情報との類似度を算出して、予め設定された類似の基準を満たす情報が存在する際に、車両の出力手段を動作させてもよい。
【００３４】
ここで、自車両走行情報と事象遭遇車両走行情報との照合結果の一例として、自車両走行情報および事象遭遇車両走行情報において、情報の同じ項目同士を照合し、一致するか否か、情報の項目の値が同じ範囲内の値に属するか否か等である。
【００３５】
また、自車両周囲情報は、車両が走行中の道路、及び、車両の付近の交差点に接続する他の道路に関する自車両周囲道路属性を含んでもよい。
【００３６】
ここで、自車両周囲道路属性の一例として、自車両が走行中の道路の道路属性、自車両の付近の交差点に接続する他の道路の道路属性が挙げられる。
【００３７】
また、事象遭遇車両周囲情報は、事象遭遇車両が走行していた道路、及び、事象遭遇車両の付近の交差点に接続する他の道路に関する事象遭遇車両周囲道路属性を含んでもよい。
【００３８】
ここで、事象遭遇車両周囲道路属性の一例として、事象遭遇車両が走行中の道路の道路属性、事象遭遇車両の付近の交差点に接続する他の道路の道路属性が挙げられる。
【００３９】
また、制御手段１ｃは、自車両周囲道路属性と事象遭遇車両周囲道路属性との照合結果に少なくとも基づいて自車現在情報との類似度を算出して、予め設定された類似の基準を満たす情報が存在する際に、車両の出力手段を動作させてもよい。
【００４０】
ここで、自車両周囲道路属性と事象遭遇車両周囲道路属性との照合結果の一例として、自車両周囲道路属性および事象遭遇車両周囲道路属性において、情報の同じ項目同士を照合し、一致するか否か、情報の項目の値が同じ範囲内の値に属するか否か等である。
【００４１】
また、自車両周囲情報は、車両の付近の交差点に接近する対象物の属性、及び、当該対象物の当該交差点までの距離に関する自車両対象物情報を含んでもよい。
【００４２】
ここで、車両の付近の交差点に接近する対象物の一例として、自車両の周辺に存在する移動体等の周辺対象物、自車両の付近の交差点に接近する移動体が挙げられる。周辺対象物は、例えば、周辺移動体、車両の場合、周辺車両である。車両の付近の交差点に接近する対象物の数は、状況によって複数でも、ゼロでもよい。対象物の属性の一例として、対象物の種別、対象物の走行速度、対象物の加速度、対象物の進行方向等が挙げられる。対象物の種別は、例えば、車両の種別、人等が挙げられる。車両の種別は、例えば、大型車、中型車、小型車、二輪車等が挙げられる。対象物が車両の場合、対象物の属性の一例として、周辺車両のヘッドライトの状態の情報、周辺車両の方向指示器の情報、周辺車両の交通規則違反に関する情報が挙げられる。交通規則違反に関する情報の一例として、違反なし、速度オーバー、一時停止違反等が挙げられる。
【００４３】
また、事象遭遇車両周囲情報は、事象遭遇車両の付近の交差点に接近する対象物の属性、及び、当該対象物の当該交差点までの距離に関する事象遭遇車両対象物情報を含んでもよい。
【００４４】
ここで、事象遭遇車両対象物情報の一例として、事象遭遇車両の周辺に存在する移動体等の周辺対象物、事象遭遇車両の付近の交差点に接近する移動体が挙げられる。
【００４５】
また、制御手段１ｃは、自車両対象物情報と事象遭遇車両対象物情報との照合結果に少なくとも基づいて自車現在情報との類似度を算出して、予め設定された類似の基準を満たす情報が存在する際に、車両の出力手段を動作させてもよい。
【００４６】
ここで、自車両対象物情報と事象遭遇車両対象物情報との照合結果の一例として、自車両対象物情報および事象遭遇車両対象物情報において、情報の同じ項目同士を照合し、一致するか否か、情報の項目の値が同じ範囲内の値に属するか否か等である。
【００４７】
また、第１取得手段１ａは、自車現在情報として、車両のドライバの運転傾向に関する自車両運転傾向情報をさらに取得してもよい。
【００４８】
ここで、車両のドライバの運転傾向の一例として、ドライバの運転の加速傾向（例えば、単位距離当たりの急加速数）、ドライバの運転の減速傾向（例えば、単位距離当りの急減速数）、ドライバの運転のステアリングの操作傾向（例えば、単位距離当たりの急減速数）、ドライバの運転の連続運転時間（例えば、走行開始からの運転継続時間）、ドライバの運転の速度傾向（例えば、法定速度に対する平均速度比）、ドライバの運転の一時停止違反度（例えば、一時停止に違反する割合）、ドライバの運転の直線安定性（例えば、直進道路における左右ゆれの大きさ）、ドライバの運転のコーナリング安定性（例えば、カーブでの速度、左右ゆれの大きさ）、ドライバの運転の車間距離（例えば、カメラ画像に基づく平均車間距離）、ドライバの運転の車線またぎの頻度（例えば、単位距離当たりの車線またぎ回数）、ドライバの運転の信号機通過特性（例えば、黄色信号で止まらず通過する頻度）等が挙げられる。
【００４９】
また、第２取得手段１ｂは、事象遭遇前情報として、事象遭遇車両のドライバの運転傾向に関する事象遭遇車両運転傾向情報をさらに取得してもよい。
【００５０】
ここで、事象遭遇車両のドライバの運転傾向の一例として、事象遭遇車両のドライバの運転の加速傾向等が挙げられる。
【００５１】
また、制御手段１ｃは、自車両運転傾向情報と事象遭遇車両運転傾向情報との照合結果に少なくとも基づいて自車現在情報との類似度を算出して、予め設定された類似の基準を満たす情報が存在する際に、車両の出力手段を動作させてもよい。
【００５２】
ここで、自車両運転傾向情報と事象遭遇車両運転傾向情報との照合結果の一例として、自車両運転傾向情報および事象遭遇車両運転傾向情報において、情報の同じ項目同士を照合し、一致するか否か、情報の項目の値が同じ範囲内の値に属するか否か等である。
【００５３】
また、第２取得手段１ｂは、事象遭遇前情報に対応する事象の種別に関する事象種別情報をさらに取得してもよい。
【００５４】
ここで、交通の事象種別情報の一例として、人対車両、車両単独、（車両相互）正面衝突、追突、出会い頭、左折時、右折時等の対象物との事故、対象物への接触、対象物への異常接近による急ブレーキ、回避等が挙げられる。
【００５５】
また、制御手段１ｃは、複数の事象遭遇前情報中に自車現在情報に対して予め設定された類似の基準を満たす情報が存在する際に、自車現在情報との類似度が最も高い事象遭遇前情報に対応する前記事象種別情報に基づく警告を、車両の報知手段より報知させてもよい。
【００５６】
予め設定された類似の基準を満たす少なくとも１つの事象遭遇前情報のうち、類似度が最も高い事象遭遇前情報に対応する事象種別情報が選択される。例えば、事象種別情報に基づく警告の一例として、選択された事象種別情報を知らせる内容である。車両の出力手段の一例の報知手段は、例えば、自車両の搭載されたディスプレイ、スピーカ等が挙げられる。
【００５７】
また、制御手段１ｃは、複数の事象遭遇前情報の一部の情報と、当該対応する自車現在情報の一部の情報が予め設定された類似の基準を満たす場合に、車両の出力手段を動作させてもよい。
【００５８】
複数の事象遭遇前情報の一部の情報の一例として、事象遭遇前情報の項目の所定の項目が挙げられる。対応する自車現在情報の一部の情報の一例として、事象遭遇前情報の所定の情報の項目に対応する情報の項目が挙げられる。
【００５９】
以上説明したように、実施形態に係る制御装置１の動作によれば、自車現在情報に類似した事象遭遇前情報が存在する際に、車両の出力手段を動作させるので、類似した交通事象に遭遇しそうな状況に対して、事前にできるだけ精度の高い情報を出力できる。
【実施例】
【００６０】
［１．制御システムの構成および機能概要］
次に、上述した実施形態に対応する具体的な実施例について、図を用いて説明する。なお以下に説明する実施例は、情報処理サーバ装置または車載端末装置に対して、本願を適用した場合の実施例である。
【００６１】
図２は、実施例に係る制御システムの概略構成の一例を示す模式図である。
【００６２】
図２に示すように、実施形態に係る制御システムＳは、車両５（移動体の一例）および車両７（移動体の一例）に搭載された車載端末装置１０（制御装置１の一例）と、車載端末装置１０から車両５、７の情報を収集して情報処理結果を提供する情報処理サーバ装置２０と、情報処理サーバ装置２０に気象情報や交通情報等を提供する外部サーバ装置ＳＶと、を備えている。ここで、車載端末装置１０は、制御装置１の一例である。情報処理サーバ装置２０は、制御装置１の一例である。
【００６３】
車両５は、移動体の一例で事象遭遇車両の一例である。車両７は、移動体の一例で自車両の一例である。なお、便宜的に車両５および車両７に分類している。情報処理サーバ装置２０は、これら複数の車両５および車両７と通信を行う。
【００６４】
車両５が交通の事象に遭遇した際に、車両５の車載端末装置１０は、事象遭遇前情報を情報処理サーバ装置２０に送信する。
【００６５】
車両７の車載端末装置１０は、自車現在情報を情報処理サーバ装置２０に送信し、情報処理サーバ装置２０から情報処理結果を受信する。また、車載端末装置１０は、ナビゲーション機能を有してもよい。車載端末装置１０は、無線基地局を有するネットワークＮＷと無線で通信を行う。
【００６６】
情報処理サーバ装置２０は、車両５の車載端末装置１０から、事象遭遇前情報を収集してデータベースを更新する。情報処理サーバ装置２０は、車両７の車載端末装置１０から、自車現在情報を取得して、自車現在情報と複数の事象遭遇前情報とを照合して、情報処理結果を車両７の車載端末装置１０に出力する。
【００６７】
情報処理サーバ装置２０は、外部サーバ装置ＳＶから、車両５および車両７の現在位置の気象情報および各道路の最新の交通情報等を、取得する。情報処理サーバ装置２０は、事象に遭遇した車両５の位置座標、事象の日時に基づき、外部サーバ装置ＳＶから、事象現場の天気（例えば、気温、風速、風向、降水・降雪量等）に関する情報を取得する。
【００６８】
外部サーバ装置ＳＶは、ＶＩＣＳ（登録商標）の各道路の交通情報、他の車両の車載端末装置１０から収集した交通情報等を、情報処理サーバ装置２０に提供する。例えば、情報処理サーバ装置２０は、リアルタイムに交通情報を外部サーバ装置ＳＶから取得する。情報処理サーバ装置２０は、所定の時間間隔（例えば、０．１秒単位、秒単位等）で交通情報を取得してもよい。
【００６９】
車載端末装置１０、情報処理サーバ装置２０、および、外部サーバ装置ＳＶは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、およびゲートウェイ等により構築されている。
【００７０】
［２．各装置の構成および機能］
（２．１  車載端末装置１０の構成および機能）
次に、車載端末装置１０の構成および機能について、図３を用いて説明する。
【００７１】
図３は、車載端末装置１０の概要構成の一例を示すブロック図である。
【００７２】
図３に示すように、コンピュータとして機能する車載端末装置１０は、通信部１１と、表示部１２と、カメラ部１３と、記憶部１４と、センサ部１５と、操作部１６と、スピーカ部１７と、マイク部１８と、制御部１９を有する。
【００７３】
通信部１１は、無線通信機能を有する。通信部１１は、ネットワークＮＷの移動体通信網に接続して情報処理サーバ装置２０等との通信状態を制御する。通信部１１は、情報処理サーバ装置２０との通信のため、電波による無線通信による通信を行う。
【００７４】
表示部１２は、例えば、液晶表示素子またはＥＬ（Electro Luminescence）素子等によって構成されている。表示部１２には、地図情報、案内情報、警告情報等が表示される。表示部１２は、出力手段および報知手段の一例である。
【００７５】
カメラ部１３は、例えば、ＣＣＤ（Charge Coupled Device）イメージセンサやＣＭＯＳ（Complementary Metal Oxide Semiconductor）イメージセンサ等の撮影素子を有するカラーのデジタルカメラである。カメラ部１３は、静止画または動画を撮影する。カメラ部１３は、車両５および車両７の周囲状況を撮影する。カメラ部１３は、例えば、前方、後方、側方の様子を撮影する。
【００７６】
記憶部１４は、例えば、シリコンディスクドライブやハードディスクドライブ等からなる。記憶部１４は、車載端末装置１０を制御するための各種プログラム等を記憶したりする。各種プログラムは、オペレーティングシステム、ナビゲーションや、音楽再生用のアプリケーションソフト等が挙げられる。記憶部１４は、ナビゲーション用の地図情報や音楽データを記憶してもよい。また、記憶部１４は、車載端末装置１０を搭載している自車両に関する情報（例えば、車種、排気量等）を記憶してもよい。なお、ナビゲーション用の地図情報、音楽データ、車載端末装置１０を搭載している自車両に関する情報の一部または全部は、通信部１１を介して通信接続される図示しない外部の記憶装置に記憶する構成としてもよい。
【００７７】
また、記憶部１４には、ドライバの運転傾向を算出するため、センサ部１５からの各種データに基づき、ドライバの運転傾向が蓄積されている。
【００７８】
なお、各種プログラムは、例えば、無線通信網等のネットワークを介して取得されるようにしてもよいし、ＣＤ（Compact Disc）、ＤＶＤ（Digital Versatile Disc）等の記録媒体に記録されてドライブ装置を介して読み込まれるようにしてもよい。
【００７９】
センサ部１５は、車両５に備え付けられたＧＰＳセンサ、方位センサ、速度センサ、高度センサ、タイマーから、車両の位置情報（緯度・経度情報）、移動方向の情報、速度情報、高度情報、現在時刻等の情報を取得する。
【００８０】
操作部１６は、機械式の電源ボタン、音量ボタン等の各種ボタンや、表示部１２がタッチパネルのようなタッチスイッチ方式の表示パネルである。
【００８１】
スピーカ部１７は、例えば、警告情報、案内情報や、楽曲や、音声等の音等を出力する。スピーカ部１７は、出力手段および報知手段の一例である。
【００８２】
マイク部１８は、車両自体の音、車両の周囲の音を集音する。
【００８３】
制御部１９は、例えば、ＣＰＵ（Central Processing Unit）と、ＲＯＭ（Read Only Memory）と、ＲＡＭ（Random Access Memory）と、を有する。制御部１９は、ＣＰＵが、ＲＯＭや、ＲＡＭや、記憶部１４に記憶された各種プログラムを読み出して実行する。車載端末装置１０の各部の動作を制御する。
【００８４】
制御部１９は、カメラ部１３からの画像データに対して、画像解析を行う。制御部１９は、センサ部からの各種データに対して、解析を行う。制御部１９は、マイク部１８からの音データに対して、音解析を行う。なお、これらの画像解析および音解析は、カメラ部１３からの画像データ、およびマイク部１８からの音データを、図示しない外部の解析装置に通信部１１を介して送信し、該解析装置による解析結果を、通信部１１を介して受信するように構成してもよい。
【００８５】
制御部１９は、出力手段の一例として、車両の駆動装置を制御してもよい。駆動装置は、アクセル量を制御して、車両の速度および加速度を制御する。駆動装置は、操舵角度を制御して、車両の進行方向を変更する。駆動装置は、ブレーキ量を制御して、車両を減速および停止させる。また、駆動装置は、ライト、方向指示器等も制御する。
【００８６】
（２．２  情報処理サーバ装置２０の構成および機能）
次に、情報処理サーバ装置２０の構成および機能について、図４から図１１を用いて説明する。
【００８７】
図４は、情報処理サーバ装置２０の概要構成の一例を示すブロック図である。図５は、情報処理サーバ装置２０のデータベースの一例を示す模式図である。図６から図１１は、交通の事象の一例を示す模式図である。
【００８８】
図４に示すように、コンピュータとして機能する情報処理サーバ装置２０は、通信部２１と、記憶部２２と、表示部２３と、操作部２４と、制御部２５と、を有する。
【００８９】
通信部２１は、ネットワークＮＷに接続して、車載端末装置１０および外部サーバ装置ＳＶとの通信状態を制御するようになっている。
【００９０】
記憶部２２は、例えば、ハードディスクドライブ、シリコンディスクドライブ等により構成されている。記憶部２２は、データベース２２ａを有する。
【００９１】
データベース２２ａには、発生した事象毎に、事象遭遇前情報を事象場面データとして記憶する。例えば、図５に示すように、発生した事象の事象番号に関連付けて、事象種別の情報（事象種別情報の一例）、事象遭遇車両の周囲環境の情報（事象遭遇車両周囲情報の一例）、事象遭遇車両の周囲対象物の情報（事象遭遇車両周囲情報の一例および事象遭遇車両対象物情報の一例）、事象遭遇車両の車両状態の情報（事象遭遇車両状態情報の一例）、事象遭遇車両のドライバの運転傾向の情報（事象遭遇車両運転傾向情報の一例）等が記憶されている。
【００９２】
データベース２２ａの交通の事象種別の項目には、人対車両、車両単独、正面衝突、追突、出会い頭、左折時、右折時、その他等の情報が記憶される。
【００９３】
周囲環境には、事象遭遇車両（例えば、車両５）が走行していた走行道路に関する道路情報、事象遭遇車両が事象に遭遇した位置付近の交差点における各接続道路に関する道路情報、事象遭遇車両が事象に遭遇した位置付近の気象情報、事象が発生した時刻等が含まれる。
【００９４】
さらに、道路情報において、項目として、道路の種別、制限速度、車線数、勾配、付近の交差点への進入規制、付近の交差点への接続方向等が挙げられる。
【００９５】
データベース２２ａの道路の種別の項目には、例えば、高速道、一般国道、都道府県道、市町村道、農道、林道、その他の道路であるかの情報が記憶されている。データベース２２ａの制限速度の項目には、道路の制限速度の値や範囲が記憶されている。データベース２２ａの車線数の項目には、道路の車線数が記憶されている。データベース２２ａの勾配の項目には、道路の勾配情報が記憶されている。データベース２２ａにおいて、付近の交差点への進入規制の項目には、赤信号、一時停止、規制無し等の情報が記憶されている。データベース２２ａにおいて、付近の交差点への接続方向の項目には、北、北東、東、南東、南、南西、西、または、北西等の方角の情報が記憶されている。
【００９６】
周囲対象物は、事象遭遇車両（例えば、車両５）が、交通の事象に関係した対象物の一例である移動体の種別、移動体の走行速度の情報、移動体の加速度の情報、移動体の進行方向の情報、移動体が車両の場合、車両のヘッドライトの状態の情報、車両の方向指示器の情報、移動体の付近の交差点までの距離、交通規制の違反の種別の情報等を含む。
【００９７】
データベース２２ａの移動体の種別の項目には、例えば、大型車、中型車、小型車、二輪車、自転車、人等であるかの情報が記憶される。データベース２２ａの移動体の走行速度の項目には、移動体の走行速度の値や範囲が記憶されている。例えば、移動体の走行速度の数値例として、８０キロ超／８０〜６０／６０〜４０／４０〜２０／２０キロ未満等が挙げられる。
【００９８】
データベース２２ａの移動体の加速度の項目には、移動体の加速度の値や範囲が記憶されている。例えば、移動体の加速度の数値例として、０．５Ｇ超／０．４〜０．２Ｇ/０．２〜０G／０〜−０．２Ｇ／−０．２〜−０．４G／−０．４未満等が挙げられる。
【００９９】
データベース２２ａの移動体の進行方向の項目には、北、北東、東、南東、南、南西、西、または、北西等の方角の情報が記憶されている。
【０１００】
データベース２２ａの車両のヘッドライトの項目には、事象遭遇車両が移動体に遭遇時における対象物の車両のヘッドライトの状態等が記憶されている。ヘッドライトの状態の一例として、ハイビーム点灯／ロービーム点灯／スモールライト点灯／点灯なし等が挙げられる。
【０１０１】
データベース２２ａの車両の方向指示器の項目には、事象遭遇車両が移動体に遭遇時における対象物の車両の方向指示器の状態等が記憶されている。方向指示器の状態の一例として、左作動／右作動／作動なし等が挙げられる。
【０１０２】
データベース２２ａの移動体の付近の交差点までの距離の項目には、１００ｍ超、１００ｍ程、５０ｍから１００ｍ、５０ｍ未満等の該当する距離の情報が記憶されている。データベース２２ａの移動体の交通規制の違反の種別の項目には、違反なし、速度オーバー、一時停止違反、信号無視等の情報が記憶されている。
【０１０３】
車両状態は、事象遭遇車両の車種の情報、事象遭遇車両の走行速度の情報、事象遭遇車両の加速度の情報、事象遭遇車両の進行方向の情報、事象遭遇車両のヘッドライトの状態の情報、事象遭遇車両の方向指示器の情報、事象遭遇車両の付近の交差点までの距離等を含む。
【０１０４】
運転傾向は、加速傾向、減速傾向、ステアリング操作傾向、連続運転時間、速度傾向、一時停止違反度、直線安定性、コーナリング安定性、車間距離、車線またぎ頻度、信号機通過特性等を含む。
【０１０５】
データベース２２ａの加速傾向の項目には、急加速傾向が高い、普通、低い等の情報が記憶される。
【０１０６】
図６に示すように、交差点ｃ１において、道路ｒ１上の車両５と道路ｒ３上の対象物の車両Ｔ１との出会い頭の衝突の場合、交差点ｃ１が付近の交差点である。破線で示した道路ｒ１上の車両５が、事象遭遇車両である車両５の所定時間前の位置を示している。交差点ｃ１は、事象遭遇車両である車両５の所定時間前の位置から前方の交差点である。車両５が所定時間前に走行していた道路ｒ１の車線数の項目の値”２”、道路ｒ１のこの交差点ｃ１への接続方向の項目の値”北”等の道路情報が、データベース２２ａに記憶される。この交差点ｃ１に接続している各道路ｒ２、ｒ３、ｒ４に対する、車線数、接続方向等の道路情報が、データベース２２ａに記憶される。
【０１０７】
図７に示すように、道路ｒ１から道路ｒ４に右折した車両５と、道路ｒ４上の対象物の車両Ｔ１とが正面衝突した場合、交差点ｃ１が付近の交差点である。破線で示した道路ｒ１上の車両５が、事象遭遇車両である車両５の所定時間前の位置を示している。交差点ｃ１は、事象遭遇車両である車両５の所定時間前の位置から前方の交差点である。交差点ｃ１には、道路ｒ１、ｒ２、ｒ３、ｒ４が接続している。車両５が所定時間前に走行していた道路ｒ１の車線数の項目の値”１”、道路ｒ１のこの交差点ｃ１への接続方向の項目の値”北西”等の道路情報が、データベース２２ａに記憶される。この交差点ｃ１に接続している各道路ｒ２、ｒ３、ｒ４に対する、車線数、接続方向等の道路情報が、データベース２２ａに記憶される。
【０１０８】
図８に示すように、側道の道路ｒ３から出て来た車両Ｔ１と、本線の道路ｒ１を走行していた車両５と出会い頭に衝突した場合、交差点ｃ１が付近の交差点である。破線で示した道路ｒ１上の車両５が、事象遭遇車両である車両５の所定時間前の位置を示している。交差点ｃ１は、事象遭遇車両である車両５の所定時間前の位置から前方の交差点である。交差点ｃ１には、道路ｒ１、ｒ２、ｒ３が接続している。
【０１０９】
図９に示すように、道路ｒ１の交差点ｃ１で停止していた車両５に車両Ｔ１が追突した場合、交差点ｃ１が付近の交差点である。交差点ｃ１には、２車線の道路ｒ１、ｒ２、ｒ３、ｒ４が接続している。
【０１１０】
図１０に示すように、５差路の交差点ｃ１において、車両５と対象物の車両Ｔ１との出会い頭の衝突の場合、交差点ｃ１が付近の交差点である。破線で示した道路ｒ５上の車両５が、事象遭遇車両である車両５の所定時間前の位置を示している。交差点ｃ１は、事象遭遇車両である車両５の所定時間前の位置から前方の交差点である。交差点ｃ１には、道路ｒ１、ｒ２、ｒ３、ｒ４、ｒ５が接続している。
【０１１１】
図１１に示すように、合流点の交差点ｃ１において、車両５と車両Ｔ１とが接触した場合、合流点の交差点ｃ１が付近の交差点である。交差点ｃ１は、事象遭遇車両である車両５の所定時間前の位置から前方の交差点である。交差点ｃ１で、片側２車線の道路ｒ１、ｒ２と、道路ｒ３とが接続している。
【０１１２】
また、記憶部２２には、地図情報、外部サーバ装置ＳＶから取得した交通情報、気象情報等が記憶されていている。
【０１１３】
また、記憶部２２は、オペレーティングシステムおよびサーバプログラム等の各種プログラム等を記憶する。なお、各種プログラムは、例えば、他のサーバ装置等からネットワークＮＷを介して取得されるようにしてもよいし、記録媒体に記録されてドライブ装置を介して読み込まれるようにしてもよい。
【０１１４】
表示部２３は、例えば、液晶表示素子またはＥＬ素子等によって構成されている。
【０１１５】
操作部２４は、例えば、キーボードおよびマウス等によって構成されている。
【０１１６】
制御部２５は、例えば、ＣＰＵ、ＲＯＭ、ＲＡＭ等を有する。制御部２５は、情報処理サーバ装置２０の各部の動作を制御する。制御部２５は、記憶部２２に記憶された各種プログラムを読み出し実行することにより、各種処理等を実行する。制御部２５は、出力手段および報知手段の一例である。
【０１１７】
［３．案内システムの動作］
次に、実施例に係る制御システムＳの動作について図１２から図１５を用いて説明する。  
（３．１  事象場面データの生成の動作）
制御システムＳは、事象に遭遇した各車両（例えば、各車両５）の車載端末装置１０から事象遭遇前情報を収集して、事象場面データを生成する動作について、図１２を用いて説明する。なお、車両７が事象に遭遇した場合も、車両７の車載端末装置１０が、事象遭遇前情報を送信してもよいが、ここでは、便宜的に、車両５の車載端末装置１０について説明する。
【０１１８】
図１２は、事象場面データの生成の動作の一例を示すシーケンス図である。
【０１１９】
車両５が道路を走行しながら、車両５の車載端末装置１０が、事象遭遇車両周囲情報、および、事象遭遇車両走行情報のための各種データ等を取得している。例えば、事象遭遇車両周囲情報の収集のために、カメラ部１３が周囲の画像を動画で撮像し、マイク部１８が音を集音している。また、事象遭遇車両走行情報の収集のために、センサ部１５が、車両５の位置情報、走行速度、加速度、進行方向等の各種データを計測している。
【０１２０】
なお、動画、センサの各種データ、および音データは、現在時刻から所定時間（３秒前、５秒前、７秒前、１０秒、１５秒前等）よりも長い時間、記憶部１４等に記録されている。車両５が他の車両等の対象物に衝突、接触等して事象が発生したとする。
【０１２１】
図１２に示すように、制御システムＳは、事象を検知する（ステップＳ１）。具体的には、車両５における車載端末装置１０の制御部１９が、センサ部１５の加速度センサから加速度のデータを取得し、所定値以上の場合、衝撃があったとして、事象に遭遇したと検知する。なお、制御部１９が、マイク部１８から衝撃音等の音データを取得して、クラクション音のような所定の波形に類似した場合、周辺環境音の音量が所定値以上の場合、事象に遭遇したと検知してもよい。また、制御部１９が、カメラ部１３からの動画を画像解析して、事象に遭遇した否かを判定してもよい。
【０１２２】
次に、制御システムＳは、所定時間前の動画等の情報を取得する（ステップＳ２）。具体的には、制御部１９が、事象に遭遇した時刻から所定時間前の車両５からの情報を記憶部１４等から取得する。さらに具体的には、制御部１９が、事象に遭遇した時刻から所定時間前を含む所定時間内の、カメラ部１３のからの動画、センサ部１５からの車両走行情報のデータ、マイク部１８からの音データを、記憶部１４等から取得する。制御部１９が、センサ部１５のセンサ自体にメモリがある場合、各センサのメモリから取得してもよい。
【０１２３】
また、制御部１９が、記憶部１４を参照して、車両５の車種の情報および、車両５のドライバの運転傾向の情報を取得する。
【０１２４】
次に、制御システムＳは、取得した情報を情報処理サーバ装置２０に送信する（ステップＳ３）。具体的には、車両５における車載端末装置１０の制御部１９が、通信部１１を通して、事象に遭遇した場所の位置情報、事象に遭遇した時刻、動画、音情報、車両走行情報、車両５の車種の情報、運転傾向の情報等の、取得した情報を、車両ＩＤと共に情報処理サーバ装置２０に送信する。
【０１２５】
次に、制御システムＳは、車載端末装置１０からの情報を受信する（ステップＳ４）。具体的には、情報処理サーバ装置２０の制御部２５が、通信部２１を通して、車両５における車載端末装置１０から、事象に遭遇した場所の位置情報、事象に遭遇した時刻、動画、音情報、車両走行情報、車両５の車種の情報、運転傾向の情報等の、取得した情報を受信する。
【０１２６】
次に、制御システムＳは、外部サーバ装置ＳＶから、事象遭遇時の場所および時刻における天候、気温、降水量等の気象情報を取得する（ステップＳ５）。具体的には、制御部２５が、事象に遭遇した場所の位置情報、事象に遭遇した時刻に基づき、外部サーバ装置ＳＶから、事象遭遇時の場所および時刻における天候、気温、降水量等の気象情報を取得する。
【０１２７】
次に、制御システムＳは、車載端末装置１０からの情報と、外部サーバ装置ＳＶからの情報とを分析して、事象遭遇前情報を生成する（ステップＳ６）。具体的には、車両５の周囲環境の情報の場合、制御部２５が、事象に遭遇した位置情報から所定時間前の車両５の位置を特定し、さらに記憶部２２の地図情報を参照して、所定時間前の車両５の位置の付近の交差点を特定する。この特定された交差点の一例として、所定時間前の車両５の位置に最も近い交差点、所定時間前の車両５の位置の前方の交差点等が挙げられる。
【０１２８】
制御部２５が、特定された交差点と地図情報とに基づき、交差点に接続する各道路に関して、道路の種別、制限速度、車線数、勾配、付近の交差点への進入規制、付近の交差点への接続方向等の道路情報を抽出して事象遭遇前情報を生成する。
【０１２９】
また、制御部２５が、周囲環境の情報の一例として、事象に遭遇した時刻から所定時間前の時刻を計算して事象遭遇前情報を生成する。
【０１３０】
車両５の周辺対象物の情報の場合、制御部２５が、事象に遭遇した時刻から所定時間を含む時間において、動画を画像解析して、対象物を抽出して、車両５の周辺の各対象物を特定する。制御部２５が、画像解析して、特定した対象物の種別、対象物までの距離、速度、加速度、進行方向、ヘッドライトの点等の有無、方向指示器の有無、特定した交差点までの距離等を算出して事象遭遇前情報を生成する。
【０１３１】
また、制御部２５が、動画を画像解析して、乾燥、湿潤、凍結、積雪等の路面の状態を推定して事象遭遇前情報を生成する。
【０１３２】
車両５の車両情報の場合、制御部２５が、センサ部１５からの車両走行情報のデータに基づき、車両５の走行速度、車両５の加速度、車両５の進行方向、車両５のヘッドライトの状態、車両５の方向指示器の状態、車両５の付近の交差点までの距離を算出する。
【０１３３】
車両５が遭遇した事象の種別は、例えば、制御部１９が、カメラ部１３の動画を画像解析して、対象物との衝突方向等から、算出される。
【０１３４】
また、制御部１９が、気象情報をデータベース２２ａ用に加工する。
【０１３５】
次に、制御システムＳは、照合用の事象場面データとして保存する（ステップＳ７）。具体的には、制御部２５が、生成された事象遭遇前情報を、事象番号に関連付けて、データベース２２ａに追加して記憶する。
【０１３６】
（３．２  自車現在情報の判定の動作）
次に、車両７の自車現在情報の判定の動作について、図１３から図１５を用いて説明する。
【０１３７】
図１３は、実施例に係る制御システムの動作の一例を示すフローチャートである。図１４および図１５は、ある周辺状況における自車両の一例を示す模式図である。
【０１３８】
図１３に示すように、制御システムＳは、判定用事象場面データを情報処理サーバ装置２０から取得する（ステップＳ１０）。具体的には、車両７の車載端末装置１０の制御部１９が、データベース２２ａに記憶されている、各事象遭遇前情報を示す判定用事象場面データを、情報処理サーバ装置２０から取得する。
【０１３９】
次に、制御システムＳは、動画等の情報を取得する（ステップＳ１１）。具体的には、車両７の車載端末装置１０の制御部１９が、ステップＳ２のように、車両７の車載端末装置１０の現在時刻における動画等の情報を取得する。ここで、ステップＳ２と異なり、現在時刻から所定期間の、カメラ部１３、センサ部１５およびマイク部１８からのデータを取得する。
【０１４０】
次に、制御システムＳは、自車現在情報を生成する（ステップＳ１２）。具体的には、車両７の車載端末装置１０の制御部１９が、ステップＳ６のように、事象遭遇前情報の代わりに、車両７からの動画、車両７の位置情報、車両７走行状況等の情報に基づき、自車現在情報を生成する。
【０１４１】
図１４に示すように、車両７が道路ｒ１０を走行し、交差点ｃ２に近づいた場合、制御部１９が、走行している道路ｒ１０の自車両周囲道路属性、および、車両７の前方の交差点ｃ２に接続する道路ｒ１１、ｒ１２、ｒ１３の自車両周囲道路属性を生成する。動画に対象物の車両Ｔ２が写っていたら、制御部１９が、交差点ｃ２に接近する対象物の属性を生成する。
【０１４２】
図１５に示すように、車両７が道路ｒ１０を走行し、交差点ｃ２に近づいた場合、制御部１９が、走行している道路ｒ１０の自車両周囲道路属性、および、車両７の前方の交差点ｃ２に接続する道路ｒ１１、ｒ１２の自車両周囲道路属性を生成する。
【０１４３】
なお、制御部１９が、ステップＳ１１で取得した動画等の情報を、情報処理サーバ装置２０に送信して、情報処理サーバ装置２０が、自車現在情報を生成してもよい。ここで、自車現在情報の各項目と事象遭遇前情報の各項目とは、事象種別の項目以外、同じである。
【０１４４】
なお、車両７のドライバの運転傾向に関して、車両７の車載端末装置１０の制御部１９が、車両７の車両ＩＤまたは車両７のドライバのユーザＩＤ共に、運転傾向の取得の要求を情報処理サーバ装置２０にして、車両７のドライバの運転傾向の情報を、情報処理サーバ装置２０から取得してもよい。制御部１９が、気象情報を、情報処理サーバ装置２０から取得してもよいし、外部サーバ装置ＳＶから取得してもよいし、カメラ部１３の画像から天気や路面の状態を判定してもよい。
【０１４５】
次に、制御システムＳは、判定用事象場面データの各象遭遇前情報と自車現在情報との類似度を計算する（ステップＳ１３）。具体的には、制御部１９が、自車現在情報の各項目の値と、対応する判定用事象場面データの事象番号の事象遭遇前情報毎に、事象遭遇前情報の各項目の値とを照合して、一致した項目の数を算出し、項目数で割った値を類似度として計算する。なお、類似度の算出に使用する項目は、一部の項目でもよい。また、事象種別に応じて、類似度の算出に使用する項目を変えてもよい。
【０１４６】
次に、制御システムＳは、類似度が閾値以上か否かを判定する（ステップＳ１４）。具体的には、制御部１９が、一致する項目の割合が、所定値（例えば、７０％、８０％、８５％）以上か否かを判定する。
【０１４７】
類似度が閾値以上の場合（ステップＳ１４；ＹＥＳ）、制御システムＳは、警告を出力する（ステップＳ１５）。具体的には、制御部１９が、類似度が閾値以上の事象遭遇前情報の中から、類似度が最大の事象遭遇前情報を抽出する。制御部１９が、類似度が最大の事象遭遇前情報の事象種別情報を求める。制御部１９が、事象種別に基づいた内容の警告を生成し、スピーカ部１７および表示部１２に出力する。例えば、警告内容「この先、出会い頭事故のおそれがあります。速度を落とし、右から飛び出す車両に注意しましょう。」が出力される。
【０１４８】
類似度が閾値未満の場合（ステップＳ１４；ＮＯ）、制御システムＳは、ステップＳ１１の処理に戻る。
【０１４９】
以上説明したように、実施例に係る動作によれば、車両７の自車現在情報に類似した事象遭遇前情報が存在する際に、車両７の出力手段を動作させるので、類似した交通事象に遭遇しそうな状況に対して、事前にできるだけ精度の高い情報を出力できる。このため、事象が起こったことがない場所においても、警告等を通知できる。実際に過去に発生した事故等の事象に対して、車両７の車両状態および周囲状況等との自車現在情報が、類似の基準を満たした場合、車両７に対して事象の発生を判断できる。つまり、同一の場所で生じた事象と比較する場合よりも、事象の母データを増やすことができるため、より高精度に、事象の発生具合を判定することができる。
【０１５０】
また、事象に遭遇した所定時間前における事象遭遇前情報を収集しているので、事前に事象の発生具合を判定することができる。
【０１５１】
また、自車現在情報として、自車両周囲情報及び車両７の現在の走行状況を示す自車両状態情報に少なくとも基づく情報を取得し、複数の事象遭遇前情報として、事象遭遇車両周囲情報、及び、交通の事象に遭遇した車両５の、当該事象に遭遇した所定時間前における走行状況を示す事象遭遇車両状態情報に少なくとも基づく情報を取得する場合、自車両状態情報および事象遭遇車両状態情報が増えることにより、類似判定する情報が増えて、より精度の高い情報を出力できる。
【０１５２】
また、自車両状態情報は、車両７の走行速度、進行方向、及び、車両７の付近の交差点ｃ２までの距離に関する自車両走行情報を含み、事象遭遇車両状態情報は、車両５の走行速度、進行方向、及び、事象遭遇車両の付近の交差点ｃ１までの距離に関する事象遭遇車両走行情報を含み、自車両走行情報と事象遭遇車両走行情報との照合結果に少なくとも基づいて自車現在情報との類似度を算出して、予め設定された類似の基準を満たす情報が存在する際に、車両７の出力手段を動作させる場合、類似判定する情報が増えて、より精度の高い情報を出力できる。また、自車前情報および事象遭遇前情報の各項目を照合することにより、類似度が高精度に算出することができる。
【０１５３】
また、自車両周囲情報は、車両７が走行中の道路、及び、車両７の付近の交差点ｃ２に接続する他の道路に関する自車両周囲道路属性を含み、事象遭遇車両周囲情報は、事象遭遇車両５が走行していた道路、及び、事象遭遇車両５の付近の交差点ｃ１に接続する他の道路に関する事象遭遇車両周囲道路属性を含み、自車両周囲道路属性と前記事象遭遇車両周囲道路属性との照合結果に少なくとも基づいて自車現在情報との類似度を算出して、予め設定された類似の基準を満たす情報が存在する際に、車両７の出力手段を動作させる場合、類似判定する情報が増えて、より精度の高い情報を出力できる。
【０１５４】
また、自車両周囲情報は、車両７の付近の交差点ｃ２に接近する対象物（例えば、車両Ｔ２）の属性、及び、当該対象物の当該交差点ｃ２までの距離に関する自車両対象物情報を含み、事象遭遇車両周囲情報は、事象遭遇車両５の付近の交差点に接近する対象物の属性、及び、当該対象物（例えば、車両Ｔ１）の当該交差点までの距離に関する事象遭遇車両対象物情報を含み、自車両対象物情報と事象遭遇車両対象物情報との照合結果に少なくとも基づいて自車現在情報との類似度を算出して、予め設定された類似の基準を満たす情報が存在する際に、車両７の出力手段を動作させる場合、類似判定する情報が増えて、より精度の高い情報を出力できる。
【０１５５】
また、自車現在情報として、車両７のドライバの運転傾向に関する自車両運転傾向情報をさらに取得し、事象遭遇前情報として、事象遭遇車両５のドライバの運転傾向に関する事象遭遇車両運転傾向情報をさらに取得し、自車両運転傾向情報と事象遭遇車両運転傾向情報との照合結果に少なくとも基づいて自車現在情報との類似度を算出して、予め設定された類似の基準を満たす情報が存在する際に、車両７の出力手段を動作させる場合、類似判定する情報が増えて、より精度の高い情報を出力できる。
【０１５６】
また、事象遭遇前情報に対応する事象の種別に関する事象種別情報をさらに取得し、複数の事象遭遇前情報中に自車現在情報に対して予め設定された類似の基準を満たす情報が存在する際に、自車現在情報との類似度が最も高い事象遭遇前情報に対応する事象種別情報に基づく警告を、車両７の報知手段（車両７の表示部１２、スピーカ部１７）より報知させる場合、車両７が遭遇しそうな事象の情報を事前に知らせることができる。このように、類似度のスコアが所定値以上の事象の事例の有無を判断することで、現在の自車両７の状態および周囲状況等の自車現在情報との類似度が高い事象事例が存在する場合に、ドライバに事象に遭遇しそうな状態を通知できる。
【０１５７】
また、複数の事象遭遇前情報の一部の情報と、当該対応する自車現在情報の一部の情報が予め設定された類似の基準を満たす場合に、車両７の出力手段を動作させる場合、照合する項目数を絞ることができて、照合の処理速度が向上する。類似の基準を満たすか否かの判定を高速に行うため、項目はより絞ったものとしてもよい。例えば、周囲環境の項目のみで、事象場面の判定を行えば、前方道路の種別や配置が似たケースの事象事例を基づき、事象の発生具合を報知することができる。
【０１５８】
判断処理を高速化するために、特定の要素の一致を必須条件にして、更に、事象事例をフィルタリングしたうえで、類似の基準を満たすか否かの判定を行ってもよい。照合する事象が削減できるので、より高速に判定できる。
【０１５９】
なお、判定用事象場面データは、予め車載端末装置１０に記憶しておいてもよい。これにより、情報処理サーバ装置２０と通信せずとも、単独で事象遭遇の判定を行うことができる。
【０１６０】
また、データベース２２ａが事象事例に対して、人間が目視等により各種項目の分類づけすることにより、生成した判定用事象場面データを、記憶してもよい。
【０１６１】
また、車両７の車載端末装置１０が、現在の自車両の車両状態情報、周囲状況情報等に基づいて自車現在情報を作成し、これを情報処理サーバ装置２０に常時送信し、情報処理サーバ装置２０が、判定用事象場面データと自車現在情報とを照合して、類似の基準を満たすか否かの判定を行ってもよい。情報処理サーバ装置２０が、類似度が所定値以上の事象事例が存在する場合に、当該事象事例に対応する事象の種別に基づく警告メッセージを生成し、車両７の車載端末装置１０に送信する。情報処理サーバ装置２０が、この警告メッセージを表示部１２およびスピーカ部１７から出力させるための制御信号を車載機に車載端末装置１０送信する。この場合、車載端末装置１０の処理負荷を軽減できる。
【０１６２】
また、車載端末装置１０は、カメラ部１３の画像と、センサ部１５の各種センサが出力する情報を常時サーバに送信し、情報処理サーバ装置２０が、これらの情報に基づいて道路属性と周辺対象物を検出した後、自車現在情報を作成し、判定用事象場面データと自車現在情報を照合して、類似の基準を満たすか否かの判定を行ってもよい。この場合、さらに車載端末装置１０の処理負荷を軽減することができる。
【０１６３】
なお、車載カーナビゲーションシステムの他に、車載ドライブレコーダー、車両の運行管理システム、車両のテレマティクス保険等に利用してもよい。
【符号の説明】
【０１６４】
１：制御装置
５、７：車両
１ａ：第１取得手段
１ｂ：第２取得手段
１ｃ：制御手段
１０：車載端末装置（制御装置）
１９：制御部（第１取得手段、第２取得手段、制御手段）
２０：情報処理サーバ装置（制御装置）
２５：制御部（第１取得手段、第２取得手段、制御手段）
Ｓ：制御システム
【図１】
2018128710.tif 000003
【図２】
2018128710.tif 000004
【図３】
2018128710.tif 000005
【図４】
2018128710.tif 000006
【図５】
2018128710.tif 000007
【図６】
2018128710.tif 000008
【図７】
2018128710.tif 000009
【図８】
2018128710.tif 000010
【図９】
2018128710.tif 000011
【図１０】
2018128710.tif 000012
【図１１】
2018128710.tif 000013
【図１２】
2018128710.tif 000014
【図１３】
2018128710.tif 000015
【図１４】
2018128710.tif 000016
【図１５】
2018128710.tif 000017